(57)【特許請求の範囲】
【請求項１】
高密度記録媒体であって、
クランピング領域と；
通常の据付条件で光が入射する前記記録媒体の表面に隣接して提供された記録層を含む情報領域と；
前記クランピング領域および情報領域の間に延在するトランジション領域であって、前記トランジション領域が前記クランピング領域の終わりの位置から前記情報領域の始まりまで定められ、段差が前記トランジション領域に形成されている、前記トランジション領域と
を備え、
前記段差が、前記クランピング領域の終わりの位置から前記情報領域の開始位置より手前の位置までなだらかな下向きの傾斜を有し、
ギャップが、前記情報領域およびその傾斜の近端の間に延在し、
前記傾斜が、前記トランジション領域に、かつ前記通常の据付条件で光が入射する表面の反対の表面に形成され、
前記記録媒体は、前記記録媒体が上下反対に設置された場合に前記光ピックアップが前記トランジション領域に移動する際に前記光ピックアップとの衝突から防止されることを特徴とする記録媒体。
【請求項２】
請求項１に記載の記録媒体であって、
前記トランジション領域は、前記傾斜を有する領域から延在する非傾斜領域をさらに含むことを特徴とする記録媒体。
【請求項３】
請求項１に記載の記録媒体であって、
前記高密度記録媒体は、ブルーレイ（Ｂｌｕ−ｒａｙ）ディスクであることを特徴とする記録媒体。
【請求項４】
請求項１に記載の記録媒体であって、
前記記録層は、前記記録媒体の光入射表面から０．１ｍｍの距離に位置したことを特徴とする記録媒体。
【請求項５】
請求項１に記載の記録媒体であって、
前記クランピング領域の上部表面および前記情報領域の上部表面の間に延在する傾斜は、少なくとも厚さ０．１ｍｍ＜ｔ＜０．６ｍｍを有することを特徴とする記録媒体。
【請求項６】
請求項１に記載の記録媒体であって、
前記傾斜は、最小傾斜長１．８ｍｍを有することを特徴とする記録媒体。
【請求項７】
請求項１に記載の記録媒体であって、
前記傾斜を有するトランジション領域の表面の反対側の前記クランピング領域、前記トランジション領域および前記情報領域の表面は、同一平面であることを特徴とする記録媒体。
【請求項８】
請求項１に記載の記録媒体であって、
前記傾斜は、直径４０ｍｍで終わることを特徴とする記録媒体。
【請求項９】
請求項１に記載の記録媒体であって、
前記クランピング領域は、最大１．３ｍｍの厚さを有することを特徴とする記録媒体。
【請求項１０】
請求項１に記載の記録媒体であって、
前記情報領域は、最小０．９ｍｍの厚さを有することを特徴とする記録媒体。
【請求項１１】
高密度記録媒体との間で記録または再生するシステムであって、
前記高密度記録媒体を挿入することができ、前記高密度記録媒体との間でデータを記録するか、再生するように動作可能であり、前記高密度記録媒体との間でデータを読出すか、記録するように構成された光ピックアップを含む記録／再生装置を備え、
前記高密度記録媒体が、クランピング領域と、記録層を有する情報領域と、前記クランピング領域および前記情報領域の間に延在するトランジション領域とを備え、前記トランジション領域が前記クランピング領域の終わりの位置から前記情報領域の始まりまで定められ、
前記トランジション領域は、直径３２ｍｍから開始し、直径４２ｍｍの前で終わる段差を有する領域を含み、前記記録層が、前記情報領域の半分の厚さに対して前記情報領域の下の部分に位置され、
前記段差は、前記クランピング領域の終わりの位置から前記情報領域の開始位置より手前の位置までなだらかな下向きの傾斜を有し、ギャップが、前記情報領域およびその傾斜の近端の間に延在し、前記傾斜が、前記トランジション領域に、かつ前記記録層に対して反対の表面に形成され、前記記録媒体は、前記記録媒体が上下反対に設置された場合に前記光ピックアップが前記トランジション領域に移動する際に前記光ピックアップとの衝突から防止されることを特徴とするシステム。
【請求項１２】
請求項１１に記載のシステムであって、
前記記録／再生装置は、情報領域の記録層との間でデータを読出すか、記録するサーボ動作を遂行するために前記光ピックアップを制御するように構成されたサーボコントローラをさらに含むことを特徴とするシステム。
【請求項１３】
請求項１２に記載のシステムであって、
前記記録／再生装置は、前記記録媒体のクランピング領域を所定の力でクランピングするように構成されたクランピング部をさらに含むことを特徴とするシステム。
【請求項１４】
請求項１２に記載のシステムであって、
前記光ピックアップは、前記サーボコントローラの制御によって前記記録層にフォーカスするために垂直方向の稼働距離を有する対物レンズを含むことを特徴とするシステム。
【請求項１５】
請求項１２に記載のシステムであって、
前記記録媒体がターンテーブルに上下逆に配置されたとき、前記サーボコントローラは、前記記録媒体にフォーカスするために対物レンズを最大稼働距離だけ垂直方向に動かすように制御し、
前記サーボコントローラは、前記対物レンズが最大稼動距離に動かされても前記記録層をフォーカスせず、
前記サーボコントローラは、フォーカスエラーを示すための信号を発生し、これによって記録媒体が前記装置に挿入されていないと判定することを特徴とするシステム。
【発明の詳細な説明】
【技術分野】
【０００１】
本発明は、高密度記録媒体、例えばその記録および／または再生装置に関し、さらに詳細には、ブルーレイディスク（ＢＤ：Ｂｌｕ−ｒａｙ  Ｄｉｓｃ）のような高密度光ディスクが光ディスク記録および／または再生装置に不適切に配置されたときに（例えば、光ディスク装置に高密度光ディスクが上下逆さに配置されたときに）光ピックアップの対物レンズと衝突しないようにすることができる高密度光ディスク、ならば光ディスク記録および／再生装置に関する。
【背景技術】
【０００２】
図１に示すように、一般的なＣＤ（ｃｏｍｐａｃｔ  ｄｉｓｃ）は、厚さが１．２ｍｍ、直径が１２０ｍｍで形成される。また、ＣＤは、直径１５ｍｍの中央ホールと、中央ホールの回りに形成される直径４４ｍｍのクランピング領域を有する。クランピング領域は、光ディスク装置に備えられたクランパによってこれも光ディスク装置に備えられたターンテーブル上にしっかりと配置される。
【０００３】
データがピットパターンで記録されるＣＤのデータ記録層は、光ディスク装置に備えられた光ピックアップの対物レンズＯＬに対面するＣＤの表面から約１．２ｍｍ離隔される。ＣＤの光ピックアップにおいて使用される対物レンズは、比較的、小さな開口数ＮＡを有する。例えば、対物レンズＯＬは、０．４５のＮＡを有する。
【０００４】
図２に示すように、一般的なＤＶＤ（ｄｉｇｉｔａｌ  ｖｅｒｓａｔｉｌｅ  ｄｉｓｃ）は、厚さが１．２ｍｍ、直径が１２０ｍｍで形成される。また、ＤＶＤは、直径１５ｍｍの中央ホールと、中央ホールの回りに形成される直径４４ｍｍのクランピング領域を有する。クランピング領域は、光ディスク装置に備えられたクランパによってこれも光ディスク装置に備えられたターンテーブル上にしっかりと配置される。
【０００５】
データがピットパターンで記録されるＤＶＤのデータ記録層は、光ディスク装置に備えられた光ピックアップの対物レンズに対面するＤＶＤの表面から約０．６ｍｍ離隔される。ＤＶＤの光ピックアップにおいて使用される対物レンズは、比較的、大きな開口数ＮＡを有する。例えば、対物レンズＯＬは、０．６のＮＡを有する。
【０００６】
図３に示すように、ブルーレイディスク（ＢＤ）など、最近、規格化が論議されている高密度光ディスクは、厚さが１．２ｍｍ、直径が１２０ｍｍで形成される。また、ＢＤは、直径１５ｍｍの中央ホールと、光ディスク装置に備えられたクランパによってこれも光ディスク装置に備えられたターンテーブル上にしっかりと配置され、中央ホールの周りに形成される直径３３ｍｍのクランピング領域と、クランピング領域と情報領域の間に割り当てられる直径４２ｍｍのトランジション領域を有する。
【０００７】
データがピットパターンで記録されるＢＤのデータ記録層は、光ディスク装置に備えられた光ピックアップの対物レンズに対面するＢＤの表面から約０．１ｍｍ離隔される。
【０００８】
ＢＤの光ピックアップの対物レンズは、もっとも大きな開口数ＮＡを有する。例えば、対物レンズは、０．８５のＮＡを有する。ＢＤの光ピックアップは、ＣＤまたはＤＶＤの光ピックアップと比較して、高密度に記録されたデータを再生し、または高密度のピットパターンでデータを記録するために短波長のレーザービームを使用する。
【０００９】
具体的には、短波長のレーザービームともっと大きな開口数の対物レンズが、ＢＤの光ピックアップに使用される。結果として、増大した光量を有する小さなスポットのレーザービームを、ＢＤの光ピックアップの対物レンズがＢＤの記録層により近い状態で記録層上にフォーカスすることができる。また、短波長のレーザービームの光透過距離を短くすることができ、レーザービームの性質変化および収差発生が最小化される。
【００１０】
ＢＤ１０が光ディスク装置に備えられたターンテーブル１１上に正しく配置される場合、図４に示すように、一般的なサーボ動作は、次のように行われる。ＢＤ１０は、スピンドルモーター１２、モータードライバー１３、そしてサーボコントローラ１５によって高速で回転される。ＢＤ１０が回転されている間、これも光ディスク装置に備えられた光ピックアップ１４の対物レンズＬＯが、所定の稼働距離（ＷＤ：Ｗｏｒｋｉｎｇ  Ｄｉｓｔａｎｃｅ）の範囲内で垂直に動かされるフォーカシングサーボ動作に基づいて、ＢＤ１０上にフォーカスする。フォーカシングサーボ動作が行われた後、ディスクに記録されたデータが正常に読み出され、またはデータがディスクに正常に記録される。
【発明の開示】
【発明が解決しようとする課題】
【００１１】
しかし、ＢＤ１０が光ディスク装置のターンテーブル１１上に不適切に配置される場合、例えば、図５に示すように、ＢＤ１０がターンテーブル１１の上で上下逆さに配置される場合、ターンテーブル１１に不適切に配置されたＢＤ１０の記録層は、ターンテーブル１１に適切に配置されたＢＤ１０のそれよりも少なくとも１．０ｍｍだけ、対物レンズから遠くなる。
【００１２】
この場合、ＢＤ１０１０は、スピンドルモーター１２、モータードライバー１３、そしてサーボコントローラ１５により高速で回転されるが、対物レンズＯＬは、対物レンズＯＬを垂直に動かす正常なフォーカシングサーボによって単純にＢＤ１０上にフォーカスできない。結果として、対物レンズＯＬは、フォーカシングサーボ動作を制御するサーボコントローラ１５の制御の下で最大稼動距離ＷＤ＿Ｍａｘに移動するまで、ＢＤの記録層に向かって上の方へ動かされる。結果的に、対物レンズＯＬはＢＤ１０と衝突し、これによってＢＤ１０、対物レンズＯＬ、または対物レンズＯＬを支持するアクチュエータを損傷させることがあり、あるいはそうでなければサーボ動作が致命的なエラーを起こす。
【課題を解決するための手段】
【００１３】
そのため、本発明は上記の問題点を鑑みてなされたもので、ブルーレイディスク（ＢＤ）のような高密度光ディスクが光ディスク装置に不適切に配置されたときに、例えば、高密度光ディスクが光ディスク装置に上下逆に配置されたときに、対物レンズが、最大稼働距離に移動するまで高密度光ディスクの記録層に向かって上の方へ動くが、光ディスク装置に備えられた光ピックアプの対物レンズと衝突しないようにすることができる高密度光ディスク、ならびにその光ディスク装置を提供することが本発明の目的である。
【００１４】
本発明の一実施形態によれば、上記およびその他の目的は、クランピング領域と；情報領域と；クランピング領域および情報領域の間のトランジション領域とを備え、トランジション領域の上部表面から情報領域の上部表面への段差が情報領域の上部表面へ滑らかに下る傾斜を有するように形成された高密度記録媒体の提供により達成することができる。
【００１５】
本発明の他の実施形態によれば、クランピング領域と；クランピング領域のそれより厚さが薄い情報領域と；クランピング領域および情報領域間のトランジション領域とを備え、データ記録層がディスクの厚さ方向においてディスクの中央に対して低い位置に形成された高密度記録媒体が提供される。
【００１６】
本発明の他の実施形態によれば、高密度記録媒体との間でデータを読出したり、記録したりする光ピックアップと；サーボ動作を行うように光ピックアップを制御するサーボコントローラとを備え、光ピックアップはサーボコントローラの制御に基づいて情報領域の記録層との間でデータを読出したり、記録し、情報領域は高密度記録媒体のクランピング領域のそれより厚さが薄く、クランピング領域および情報領域間にトランジション領域が形成され、トランジション領域に段差が形成され、記録媒体の半分の厚さに対してより下に置に記録層が形成された高密度光媒体との間でデータを記録および／または再生する装置が提供される。
【００１７】
本発明の他の実施形態によれば、高密度記録媒体との間でデータを読出したり、記録したりする光ピックアップを備え、高密度光媒体は、クランピング領域と、情報領域と、クランピング領域および情報領域の間のトランジション領域と有し、トランジション領域の上部表面から情報領域の上部表面への段差が情報領域の上部表面へ滑らかに下る傾斜を有するように形成され、サーボコントローラは情報領域の記録層との間でデータを読出したり、記録したりするサーボ動作を行うように光ピックアップを制御する高密度記録媒体との間でデータを記録および／または再生する装置が提供される。
【００１８】
本発明のさらに他の実施形態によれば、クランピング領域、情報領域、およびクランピング領域および情報領域の間のトランジション領域を備えた記録媒体とを備えた高密度記録媒体であって、トランジション領域の上部表面から情報領域の上部表面への段差が情報領域の上部表面に滑らかに下る傾斜を有するように形成され、前記情報領域の半分の厚さに対して下の位置に記録層がある高密度記録媒体と；高密度記録媒体を挿入することができる記録／再生装置であって、高密度記録媒体との間でデータを記録したり、再生したりするように動作可能な記録／再生装置とを備えた高密度記録媒体との間でデータを記録したり、再生したりするシステムが提供される。
【発明を実施するための最良の形態】
【００１９】
本発明のさらなる理解を提供するために含められた添付の図面は、本発明の好ましい実施形態を例示し、説明と共に、本発明の原理を説明する役割を果たす。
【００２０】
以下、本発明の好ましい実施形態による高密度光ディスクおよびそのような高密度光ディスクに記録されたデータを読出し、そのような高密度光ディスクにデータを記録する光ディスク装置について、添付の図面を参照して詳細に説明する。
【００２１】
図６は、本発明の好ましい実施形態による高密度光ディスクを示す断面図である。図３を参照して前述したように、高密度光ディスク、例えばＢＤ（Ｂｌｕ−ｒａｙ  ｄｉｓｃ）２０は、厚さが１．２ｍｍ、直径が１２０ｍｍで形成される。また、１直径５ｍｍの中央ホール、光ディスク装置に備えられたクランパによってこれも光ディスク装置に備えられたターンテーブルにしっかりと固定され、中央ホールの回りに形成された直径３３ｍｍのクランピング領域、そしてクランピング領域と情報領域の間に割り当てられた直径４２ｍｍのトランジション領域を有する。
【００２２】
データがピットパターンで記録されるＢＤ２０のデータ記録層は、光ディスク装置に備えられた光ピックアップの対物レンズに対面するＢＤ２０の表面から約０．１ｍｍ離隔されている。ＢＤ２０は、クランピング領域の厚さが情報領域の厚さのそれとは異なるように形成される。例えば、ＢＤ２０のトランジション領域は、図６に示したように、ＢＤ２０のデータ記録層からより遠い方のＢＤ２０の表面において０．１から０．６ｍｍの所定の厚さを有する傾斜した段差を含む。結果として、情報領域の厚さは、クランピング領域のそれよりも０．１から０．６ｍｍ小さい。
【００２３】
ＢＤ２０が不適切に光ディスク装置のターンテーブルに配置されたとき、例えば、ＢＤ２０がターンテーブルに上下逆さに配置されたとき、対物レンズが、記録層をフォーカスするために最大稼働距離に移動するまでＢＤ２０の記録層に向かって上の方へ動くが、段差は光ピックアップの対物レンズの衝突を防止するように形成される。具体的には、ＢＤ２０と対物レンズの間の所定のギャップ距離を提供するために、図６に示すように、厚さ０．１から０．６ｍｍの段差が所定の傾斜を有しつつクランピング領域の終端位置から情報領域の開始位置に形成される。
【００２４】
３３ｍｍの直径を有するクランピング領域の終端位置から、４２ｍｍの直径を有する情報領域の開始位置まで形成された傾斜した段差を有するＢＤが、光ディスク装置において上下逆に配置されたとき（例１）、光ピックアップの対物レンズは、対物レンズが水平方向に最大限移動するとＢＤと衝突する。
【００２５】
本発明の好ましい実施形態によるＢＤにおいては、傾斜した段差がトランジション領域に部分的に形成される。例えば、３３ｍｍの直径を有するクランピング領域の終端位置から、４２ｍｍの直径を有する情報領域の開始位置の２．０ｍｍ前に配置される位置まで傾斜した段差が形成される。結果として、ＢＤが光ディスク装置において上下逆さに配置されたとき（例２）、光ピックアップの対物レンズは、対物レンズが水平方向に際断言移動するが、ＢＤと衝突しない。
【００２６】
傾斜した段差は、光ディスクの中央ホールを基準にディスクの半径方向に３．５ｍｍ（＝（４０−３３）／２）の最大傾斜長で形成することができる。また、傾斜した段差は、クランピング領域が３３ｍｍのその直径を越えることがあることを考慮すると、ディスクの半径方向に１．８ｍｍ（＝（４０−３６．４）／２）の最小傾斜長を有することができる。しかし、光ディスクの製造偏差を考慮して１．０ｍｍ（＝（４０−３８）／２）の最小傾斜長を有することが好ましい。結果として、傾斜した段差は、本発明の実施形態ではディスクの半径方向に１．０ｍｍから３．５ｍｍの傾斜長を有することが好ましい。
【００２７】
ＢＤ２０が、図８に示すように、光ディスク装置に正しく挿入されるとき、ＢＤのクランピング領域は、ターンテーブル１１に安全に配置される。この場合、クランピング領域の厚さは変わらず、これによって安定したクランピング力が維持される。また、ＢＤ２０が高速で回転されるときに比較的小さい遠心力が生成されるように、情報領域の厚さは低減され、これによって、より安定したクランピング力が生成される。
【００２８】
ＢＤ２０が、スピンドルモーター１２、モータードライバー１３、およびサーボコントローラ１５によって高速で回転され、光ピックアップ１４の対物レンズＬＯがフォーカシングサーボ動作を行うために所定の稼動範囲内で垂直に動かされる。フォーカシングサーボ動作が行われた後、ディスクに記録されたデータが正常に読出されるか、またはデータがディスクに正常に記録される。
【００２９】
ＢＤ２０が光ディスク装置に不適切に挿入されたときでも、例えば、ＢＤ２０が、図９に示すように、光ディスク装置に上下逆に挿入されたときでも、ＢＤ２０のクランピング領域はターンテーブル１１に安全に配置される。しかし、この場合、０．１から０．６ｍｍのギャップ距離が、ＢＤ２０のトランジション領域に形成されたスローピング段差によって対物レンズＯＬに対面するターンテーブル１１に配置されたクランピング領域の表面と対物レンズに対面する情報領域の表面との間に形成される。
【００３０】
結果として、ＢＤ２０がスピンドルモーター１２、モータードライバー１３およびサーボコントローラ１５によって高速で回転されている間、光ピックアップ１４の対物レンズがフォーカシングサーボ動作を行うために垂直方向に最大限動かされるが、光ピックアップ１４の対物レンズＯＬは、ＢＤ２０と衝突しない。また、ＢＤ２０のデータ記録層は、対物レンズＯＬに対面するＢＤ２０の表面から離れて離間され、これによって正常なフォーカス動作が行われず、したがってディスクが光ディスク装置にないと認識される。
【００３１】
さらに、対物レンズＯＬの最大稼動範囲がさらに増加され、これはフォーカシングサーボ動作に有利である。ＢＤ２０の情報領域の厚さが１．２ｍｍより低減され、これによってＢＤ２０を製造するのに要求される材料の費用が減少される。ＢＤ２０がスロットタイプの光ディスクドライブに手動で挿入される場合に、ＢＤ２０に形成されたステップのためにＢＤ２０は光ディスクドライブとしょうとすることがある。ＢＤ２０の光ディスクドライブとの衝突による衝撃は、段差の傾斜形状によって最小化され、これによってＢＤ２０の光ディスクドライブへの滑らかな挿入が可能となる。
【００３２】
０．１から０．６ｍｍの厚さを有する傾斜した段差がＢＤのトランジション領域に形成される理由について、これから説明する。図１０に示すように、ＢＤのクランピング領域の最大厚さは１．３ｍｍである。結果として、射出成型基板の厚さは、厚さ０．１ｍｍの被覆層を除けば１．２ｍｍである。
【００３３】
情報およびリム領域の厚さがクランピング領域のそれよりも小さく、例えば、情報領域およびリム領域の射出成型基板の厚さが０．６ｍｍ（これは一般的なＤＶＤと同じ）としつつ情報領域およびリム領域が製造されるように段差が被覆層に対して反対のＢＤの表面に形成されるとき、射出成型字に記録表面に形成されるグルーブまたはピットの転写特性は、ＤＶＤのように劣化されない。
【００３４】
結果として、クランピング領域の厚さが図１０に示すように１．２ｍｍであるとき、情報領域およびリム領域の基板の厚さが０．６ｍｍである限り、情報領域およびリム領域の基板は射出および転写特性の劣化なく容易に製作することができる。その結果、０．６ｍｍまでの厚さを有する段差がクランピング領域および情報領域の間に形成できる。
【００３５】
厚さ０．１ｍｍの被覆層がＢＤの記録小に形成されるとき、厚さが１．３ｍｍのクランピング領域と、厚さが０．７ｍｍの情報領域と、厚さが０．７ｍｍのリム領域とを有するＢＤを製造することが可能である。クランピング領域の最小厚さが１．１５ｍｍであり、段差の厚さが０．６ｍｍであるとき、情報領域およびリム領域の厚さは０．５５ｍｍである。結果として、射出成型基板の厚さは、０．１ｍｍである被覆層の厚さを除いて０．４５である。しかし、この場合、０．４５ｍｍの厚さを有する射出成型基板が実際上、製造できる。
【００３６】
一方、段差の最小値を０．１ｍｍに設定する理由は以下の通りである。０．８５の開口数を有するＢＤの対物レンズが、図１１に示すように、大きな稼動範囲、例えば、約０．５ｍｍ以上を有するときでも、対物レンズのＢＤとの衝突が少なくとも０．１ｍｍの厚さを有する段差の提供により防止される。具体的には、対物レンズのＢＤとの衝突は、フォーカシングサーボ動作を行うために対物レンズを垂直に動かすことができる距離が、フォーカシング位置を基準としてディスクの記録表面に近づく方向に０．５ｍｍ、ディスクの記録表面から離れる方向に０．５ｍｍであるときでも、効果的に防止される。対物レンズの稼動範囲が大きいとき、対物レンズのＢＤとの衝突の防止の効果は、ＢＤの段差が大きな厚さを有するほど増大される。しかし、対物レンズの稼動範囲が小さなときは、対物レンズのＢＤとの衝突は、ＢＤの段差が小さな厚さを有するが、依然として防止することができる。
【００３７】
図１２に示すように、１．１ｍｍ／０．８ｍｍの厚さを有する射出成型基板および１００μｍの厚さを有する被覆層がポリカーボネートで製造され、そのため、クランピング領域の厚さが１．２ｍｍであり、情報領域およびリム領域の厚さが０．９ｍｍであるとき、放射角度偏差αは、最大値（α＝０．７０度）を有し、これはＢＤに適用される通常のテスト条件下で要求され、すなわち、２３±２℃の温度、４５％〜５５％の相対湿度、８６ｋＰａ〜１０６ｋＰａの気圧である。
【００３８】
射出成型基板が、図１３に示すように、ポリカーボネート製であるとき、角度偏差（α＝０．８度）は、ＢＤの急激変化テスト条件下で満足され、すなわち、ディスクの厚さ、すなわち情報領域のディスクの暑さが少なくとも０．９ｍｍである限り、所定のレベルの絶対湿度が維持される間、相対湿度が９５％から４５％に変化され、温度は２５℃で変わらず、別の条件では相対湿度が４５％から３０．０％に変化され、温度が２５℃から７０℃に変化される。しかし、ディスクの厚さが０．９ｍｍより薄いときには上記の条件を満足することは難しい。結果として、射出成型基板がポリカーボネート製であるときディスクの最小厚さを０．９ｍｍに設定することが好ましい。しかし、射出成型基板がポリカーボネートのそれよりも高い強度を有する他のプラスチック材料の一つであるときは、０．９ｍｍより薄い厚さを有するディスクを製造することが可能である。
【００３９】
ディスクが、図１４に示すように、トレーのないスロットタイプのドライブに直接ロードされるか、アンロードされるとき、ディスクに形成された垂直の段差のためにディスクがディスクドライブによって捕らえられることがあり、これはディスクをディスクドライブにロードするのに失敗することにつながる。しかし、図１５に示すように、段差の傾斜角度が３０度（＝０．６ｍｍ／１．０ｍｍ）以下になるようにディスクが製作されるとき、ディスクは、段差に提供されたステップのためにディスクドライブによって捕らえられない。
【００４０】
本発明の好ましい実施形態は例示の目的で開示されているが、当業者は、添付の特許請求の範囲に開示された本発明の範囲および趣旨から逸脱することなく、様々な修正、追加および置換が可能である、例えば、ディスクのトランジション領域に形成された段差は、前述の傾斜段差に加えて他の段差を有することができる。
【００４１】
上記の説明から明らかなように、本発明は、高密度光ディスクを提供し、高密度光ディスクおよび光ディスク装置に備えられた光ピックアップの対物レンズの間の所定のギャップ距離が増大される。結果として、本発明は、高密度光ディスクの光ピックアップの対物レンズとの衝突を防止する効果を有し、これによって高密度光ディスクまたは光ピックアップの対物レンズに対する損傷が防止され、サーボ動作の致命的なエラーが効果的に防止される。
【図面の簡単な説明】
【００４２】
【図１】一般的なＣＤ（ｃｏｍｐａｃｔ  ｄｉｓｃ）のディスク構造を示す図である。
【図２】一般的なＤＶＤ（ｄｉｇｉｔａｌ  ｖｅｒｓａｔｉｌｅ  ｄｉｓｃ）のディスク構造を示す図である。
【図３】一般的なＢＤ（Ｂｌｕ−ｒａｙ  ｄｉｓｃ）のディスク構造を示す図である。
【図４】一般的な光ディスク装置に適切に配置されたＢＤを示す図である。
【図５】一般的な光ディスク装置に不適切に配置されたＢＤを示す図である。
【図６】本発明の好ましい実施形態による高密度光ディスクを示す断面図である。
【図７】高密度光ディスクが本発明による傾斜した段差の提供により対物レンズと衝突しないことを示す図である。
【図８】光ディスク装置に適切に配置された本発明による高密度光ディスクを示す図である。
【図９】光ディスク装置に不適切に配置された本発明による高密度光ディスクを示す図である。
【図１０】本発明による高密度光ディスクと高密度光ディスクの実験結果を示す図である。
【図１１】本発明による高密度光ディスクと高密度光ディスクの実験結果を示す図である。
【図１２】本発明による高密度光ディスクと高密度光ディスクの実験結果を示す図である。
【図１３】本発明による高密度光ディスクと高密度光ディスクの実験結果を示す図である。
【図１４】本発明による高密度光ディスクと高密度光ディスクの実験結果を示す図である。
【図１５】本発明による高密度光ディスクと高密度光ディスクの実験結果を示す図である。
【図１】
0004755976.tif 000002
【図２】
0004755976.tif 000003
【図３】
0004755976.tif 000004
【図４】
0004755976.tif 000005
【図５】
0004755976.tif 000006
【図６】
0004755976.tif 000007
【図７】
0004755976.tif 000008
【図８】
0004755976.tif 000009
【図９】
0004755976.tif 000010
【図１０】
0004755976.tif 000011
【図１１】
0004755976.tif 000012
【図１２】
0004755976.tif 000013
【図１３】
0004755976.tif 000014
【図１４】
0004755976.tif 000015
【図１５】
0004755976.tif 000016